(57)【要約】【課題】メモリの回路規模を増大させることなく、静止画像を表示する際の消費電力を低減した画像表示装置を提供する。【解決手段】本発明に係る画像表示装置１００は、動画表示性能向上部３００における高品質化処理において使用されるフレームメモリ３１４（または３１５）に静止画像データを格納すると共に、静止画像を画像表示部４８０に表示するときに、フレームメモリ３１４（または３１５）から静止画像データを読み出すデータ制御部４１０と、動画表示性能向上部３００とは電力供給路を異にする画像処理部２００に対する電力の供給を遮断する電力供給遮断部４５０とを備えている。【選択図】図１
2010134029.tif 000002
【特許請求の範囲】
【請求項１】
画像に画像処理を施す画像処理手段と、動画像データに含まれるフレーム画像であって、上記画像処理手段により画像処理が施されたフレーム画像から表示部に供給される表示用フレーム画像を生成する表示用フレーム画像生成手段と、を備えた画像表示装置であって、
動画像の代わりに静止画像を表示する静止画像表示モードにおいて、上記表示用フレーム画像を格納するためのフレームメモリに静止画像データを格納するとともに、当該フレームメモリに格納された静止画像データを繰り返し読み出すデータ制御手段と、
上記静止画像表示モードにおいて、上記データ制御手段により読み出された静止画像データの表す静止画像を上記表示部に表示させる表示制御手段と、
上記静止画像表示モードにおいて、上記画像処理手段として機能するハードウェアであって、上記表示用フレーム画像生成手段として機能するハードウェアとは電力供給路を異にするハードウェアに対する電力の供給を遮断する電力供給遮断手段と、
を備えていることを特徴とする画像表示装置。
【請求項２】
上記電力供給遮断手段は、上記静止画像表示モードが選択された後、上記画像処理手段において画像処理の施された静止画像データが上記フレームメモリに格納された時点で、上記画像処理手段として機能するハードウェアに対する電力の供給を遮断することを特徴とする請求項１に記載の画像表示装置。
【請求項３】
上記電力供給遮断手段は、上記静止画像表示モードが選択された時点で、上記画像処理手段として機能するハードウェアに対する電力の供給を遮断することを特徴とする請求項１に記載の画像表示装置。
【請求項４】
上記表示用フレーム画像生成手段は、上記フレームメモリとは異なる他のフレームメモリに蓄積された静止画像データを復号する復号手段を含み、
上記データ制御手段は、上記復号手段により復号された復号済静止画像データを上記フレームメモリに格納することを特徴とする請求項３に記載の画像表示装置。
【請求項５】
上記フレームメモリは、上記画像処理手段において画像処理の施された静止画像データを複数記録する記録容量を有していることを特徴とする請求項２に記載の画像表示装置。
【請求項６】
上記フレームメモリは、複数の復号済静止画像データを記録する記録容量を有していることを特徴とする請求項４に記載の画像表示装置。
【請求項７】
上記表示用フレーム画像生成手段は、上記表示部における光学応答性を向上させるようにフレーム画像を変換する応答性向上処理手段を含み、
上記フレームメモリの少なくとも１つは、上記応答性向上処理手段において用いられたフレーム画像を格納するためのフレームメモリであることを特徴とする請求項１から６のいずれか１項に記載の画像表示装置。
【請求項８】
上記表示用フレーム画像生成手段は、動画像データにおけるフレーム周波数を所定倍する倍速処理手段を含み、
上記フレームメモリの少なくとも１つは、上記倍速処理手段における処理に用いられたフレーム画像を格納するためのフレームメモリであることを特徴とする請求項１から７のいずれか１項に記載の画像表示装置。
【請求項９】
画像に画像処理を施す画像処理部と、動画像データに含まれるフレーム画像であって、上記画像処理部において画像処理が施されたフレーム画像から表示部に供給される表示用フレーム画像を生成する表示用フレーム画像生成部と、を備えた画像表示装置であって、
動画像の代わりに静止画像を表示する静止画像表示モードにおいて、上記表示用フレーム画像を格納するためのフレームメモリに静止画像データを格納するとともに、当該フレームメモリに格納された静止画像データを繰り返し読み出すデータ制御部と、
上記静止画像表示モードにおいて、上記データ制御部により読み出された静止画像データの表す静止画像を上記表示部に表示させる表示制御部と、
上記静止画像表示モードにおいて、上記表示用フレーム画像生成部とは電力供給路を異にする上記画像処理部に対する電力の供給を遮断する電力供給遮断部と、
を備えていることを特徴とする画像表示装置。
【請求項１０】
上記表示用フレーム画像生成部と上記フレームメモリの少なくとも１つとは、単一の電源供給路を介して供給された電力により動作することを特徴とする請求項９に記載の画像表示装置。
【請求項１１】
上記表示用フレーム画像生成部と上記フレームメモリとは、互いに独立した電源供給路を介して供給された電力により動作することを特徴とする請求項９に記載の画像表示装置。
【請求項１２】
画像に画像処理を施す画像処理手段と、動画像データに含まれるフレーム画像であって、上記画像処理手段により画像処理が施されたフレーム画像から表示部に供給される表示用フレーム画像を生成する表示用フレーム画像生成手段と、を備えた画像表示装置における静止画像の表示方法であって、
動画像の代わりに静止画像を表示する静止画像表示モードにおいて、上記表示用フレーム画像を格納するためのフレームメモリに静止画像データを格納するデータ格納ステップと、
上記データ格納ステップが完了した時点で、上記画像処理手段として機能するハードウェアであって、上記表示用フレーム画像生成手段として機能するハードウェアとは電力供給路を異にするハードウェアに対する電力の供給を遮断する電力供給遮断手段ステップと、
上記静止画像表示モードにおいて、上記フレームメモリに格納された静止画像データを繰り返し読み出すデータ読み出しステップと、
上記静止画像表示モードにおいて、上記データ読み出しステップにおいて読み出された静止画像データの表す静止画像を上記表示部に表示させる表示制御ステップと、
を含むことを特徴とする表示方法。
【請求項１３】
画像に画像処理を施す画像処理手段と、動画像データに含まれるフレーム画像であって、上記画像処理手段により画像処理が施されたフレーム画像から表示部に供給される表示用フレーム画像を生成する表示用フレーム画像生成手段と、を備えた画像表示装置における静止画像の表示方法であって、
動画像の代わりに静止画像を表示する静止画像表示モードが選択された時点で、上記画像処理手段として機能するハードウェアであって、上記表示用フレーム画像生成手段として機能するハードウェアとは電力供給路を異にするハードウェアに対する電力の供給を遮断する電力供給遮断手段ステップと、
上記静止画像表示モードにおいて、上記表示用フレーム画像を格納するためのフレームメモリに静止画像データを格納するデータ格納ステップと、
上記静止画像表示モードにおいて、上記フレームメモリに格納された静止画像データを繰り返し読み出すデータ読み出しステップと、
上記静止画像表示モードにおいて、上記データ読み出しステップにおいて読み出された静止画像データの表す静止画像を上記表示部に表示させる表示制御ステップと、
を含むことを特徴とする表示方法。
【請求項１４】
請求項１から８のいずれか１項に記載の画像表示装置が備えているコンピュータを動作させるプログラムであって、上記コンピュータを上記の各手段として機能させるためのプログラム。
【請求項１５】
請求項１４に記載のプログラムを記録しているコンピュータ読み取り可能な記録媒体。
【発明の詳細な説明】
【技術分野】
【０００１】
本発明は、動画像を表示しない時に、静止画像を表示させることができる画像表示装置に関する。
【背景技術】
【０００２】
近年、テレビジョン受像機（以下、単にテレビとも称する）の薄型化が進み、動画を表示する機能以外にも、静止画をあたかも絵画のように表示したり、またはデジタルカメラにより撮影した写真をフォトフレームとして画像をスライド表示したりするなどの、いわゆるギャラリーモード機能と称される機能を有したテレビも普及しつつある。
【０００３】
テレビにおいて画像表示処理を実行するユニットとしては、大別して、入力画像信号の処理を実行する画像処理部と、当該画像処理部において処理された画像信号を表示モニターにとって所望のタイミングで表示するための制御信号を生成し、かつ、動画像を表示モニターに表示させる際の表示性能を向上させる動画表示性能向上部とに分けることができる。ここで、テレビにおいてギャラリーモード機能を使用する場合の処理動作を、図５を参照しつつ以下に説明する。図５は、従来のテレビにおける画像表示処理を実行する要部構成を示すブロック図である。
【０００４】
図５に示すように、画像表示装置５００（テレビ）は、画像データの高画質化処理を実行する画像処理部６００と、画像表示部４８０に表示する動画像の表示性能の向上を実行する動画表示性能向上部７００とを備えている。画像処理部６００には、ＪＰＥＧ画像を復号するための復号部６１０、画像データの高画質化を実行する処理実行部６１１、および画像データを保存するフレームメモリ６１２を備えている。また、動画表示性能向上部７００は、画像データのフレーム周波数を所定倍する倍速処理部７１０、画像表示部４８０に表示する動画像に対する描画応答性を高めるためのＱＳ処理部７１１、および動画像データを保存するフレームメモリ７１２、７１３を備えている。
【０００５】
なお、表示制御部４１１は、画像データを画像表示部４８０にとって所望のタイミングで表示させるための制御信号を生成する。また、静止画像データメモリ４７０には、複数の圧縮された静止画像データが保存されている。
【０００６】
ここで、画像表示装置５００が、ギャラリーモード機能により、静止画像データメモリ４７０から１枚ずつ読み出されるＪＰＥＧ画像を画像表示部４８０に表示する場合の処理について説明する。
【０００７】
まず、画像処理部６００における復号部６１０が静止画像データメモリ４７０から読み出されたＪＰＥＧ画像を復号する。復号された画像データは処理実行部６１１を経由して、フレームメモリ６１２に１フレーム分の静止画像データとして展開される。次に、処理実行部６１１が、フレームメモリ６１２に展開された静止画像データを高画質化処理した後、動画表示性能向上部７００に出力する。
【０００８】
ここで、動画表示性能向上部７００では、静止画像データに対する処理は実行されない。すなわち、動画像データに対する処理の際に必要である、倍速処理部７１０とフレームメモリ７１２との間の画像データの書き込みおよび読み出し、ならびに、ＱＳ処理部７１１とフレームメモリ７１３との間の画像データの書き込みおよび読み出しに関する処理は実行されない。よって、動画表示性能向上部７００に入力された静止画像データは、倍速処理部７１０およびＱＳ処理部７１１を素通りし、そのまま画像表示部４８０に供給されることになる。
【０００９】
最後に、静止画像データは、表示制御部４１１から画像表示部４８０に供給される制御信号にしたがって、画像表示部４８０に表示される。
【００１０】
このような一連の処理動作を繰り返し実行することによって、画像表示装置５００は、静止画像データメモリ４７０に記録されている複数のＪＰＥＧ画像を、画像表示部４８０にスライドショー表示することができる。
【００１１】
また、テレビにおいて静止画像を表示する別の例として、特許文献１には、テレビ放送を正常に受信している場合には、受信した映像信号から変換されるデジタル画像情報を表示し、テレビ放送を正常に受信できない場合には、デジタル画像情報に代えて静止画像情報保持手段に保持されている静止画像情報を表示する装置が開示されている。
【特許文献１】特開平１０−２３３４９号公報（平成１０年１月２３日公開）
【発明の開示】
【発明が解決しようとする課題】
【００１２】
一般的に、テレビでは画像表示部が一定のフレーム周波数毎に駆動されるため、画像処理部のフレームメモリに保存された静止画像データを、フレーム周波数毎に読み出さなければならない。そのため、スライドショー表示用のＪＰＥＧ画像が変更されない場合であっても、画像処理部におけるフレームメモリに展開された静止画像データを保持し続ける必要がある。
【００１３】
また、スライドショー表示用のＪＰＥＧ画像が変更されない限り、画像処理部において高画質化処理を実行する処理部は、フレーム周波数毎に同一の画像処理結果を得るという無駄な動作を実行する必要がある。
【００１４】
すなわち、従来のテレビでは、ＪＰＥＧ画像の復号処理が完了した後の復号部（ＪＰＥＧデコーダ）、および高画質化処理の実行処理部などのように、ギャラリーモード機能を実行する際には常時動作させる必要のない回路要素が多数存在するにもかかわらず、画像処理部を常時動作させなければならない。そのため、従来のテレビでは、静止画像を表示する際に無駄な消費電力が生じてしまうという問題を有している。
【００１５】
また、特許文献１に開示されている装置では、放送信号を変換して得られるデジタル画像情報を保持する放送画像情報保持部と、静止画像情報を保持する静止画像情報保持部とを独立して備えているため、保持部（メモリ）の回路規模が増大してしまうという問題を有している。さらに、特許文献１に開示されている装置では、放送画像情報保持手段が電源をオフにする機能を有していないため、静止画像情報を表示する場合であっても、画像を表示しない放送画像情報保持手段側の電源は常にオンとなったままである。そのため、特許文献１に記載の装置であっても、やはり消費電力の低減を図ることはできない。
【００１６】
本発明は、上記の各問題点に鑑みてなされたものであり、その主たる目的は、メモリの回路規模を増大させることなく、静止画像を表示する際の消費電力を低減した画像表示装置を提供することにある。
【課題を解決するための手段】
【００１７】
本発明に係る画像表示装置は、上記課題を解決するために、
画像に画像処理を施す画像処理手段と、動画像データに含まれるフレーム画像であって、上記画像処理手段により画像処理が施されたフレーム画像から表示部に供給される表示用フレーム画像を生成する表示用フレーム画像生成手段と、を備えた画像表示装置であって、動画像の代わりに静止画像を表示する静止画像表示モードにおいて、上記表示用フレーム画像を格納するためのフレームメモリに静止画像データを格納するとともに、当該フレームメモリに格納された静止画像データを繰り返し読み出すデータ制御手段と、上記静止画像表示モードにおいて、上記データ制御手段により読み出された静止画像データの表す静止画像を上記表示部に表示させる表示制御手段と、上記静止画像表示モードにおいて、上記画像処理手段として機能するハードウェアであって、上記表示用フレーム画像生成手段として機能するハードウェアとは電力供給路を異にするハードウェアに対する電力の供給を遮断する電力供給遮断手段と、を備えていることを特徴としている。
【００１８】
本発明に係る画像表示装置は、静止画像データを記録するためのフレームメモリとして、表示用フレーム画像を格納するために設けられているフレームメモリを利用する。すなわち、本発明に係る画像表示装置では、従来では静止画像データを記録していないフレームメモリに静止画像データを記録させている。
【００１９】
これによって、本発明に係る画像表示装置では、画像処理手段として機能するハードウェアとは電力供給路を異とする、表示用フレーム画像生成手段における処理において使用するフレームメモリから静止画像データを繰り返し読み出すことができる。そのため、電力供給遮断手段は、少なくとも、従来では常に電力を供給し続けなければならなかった画像処理手段として機能するハードウェアに対する電力の供給を遮断することができる。
【００２０】
また、本発明に係る画像表示装置では、静止画像の表示の際には利用していなかったフレームメモリを利用するため、新たなフレームメモリを増設する必要もない。
【００２１】
したがって、本発明に係る画像表示装置では、メモリの回路規模を増大させることなく、静止画像を表示する際に要する消費電力を低減することができる効果を奏する。
【００２２】
本発明に係る画像表示装置では、さらに、上記電力供給遮断手段は、上記静止画像表示モードが選択された後、上記画像処理手段において画像処理の施された静止画像データが上記フレームメモリに格納された時点で、上記画像処理手段として機能するハードウェアに対する電力の供給を遮断することが好ましい。
【００２３】
上記の構成によれば、画像処理手段として機能するハードウェアは、静止画像データの画像処理後に電力供給が遮断されるため、フレームメモリに格納される静止画像データは、画像処理を施しておくことができる。
【００２４】
これによって、画像処理の施されていない静止画像が表示されてしまうこと、すなわち画質の劣化した静止画像の表示を防止することができる効果を奏する。
【００２５】
本発明に係る画像表示装置では、さらに、上記電力供給遮断手段は、上記静止画像表示モードが選択された時点で、上記画像処理手段として機能するハードウェアに対する電力の供給を遮断することが好ましい。
【００２６】
上記の構成によれば、静止画像表示モードが選択された時点で、すなわち静止画像を表示部に表示させる処理を開始した時点で、フレーム画像生成手段に対する電力の供給を遮断することができる。
【００２７】
これによって、静止画像を表示する際に要する消費電力をより一層低減することができる効果を奏する。
【００２８】
本発明に係る画像表示装置では、さらに、上記表示用フレーム画像生成手段は、上記フレームメモリとは異なる他のフレームメモリに蓄積された静止画像データを復号する復号手段を含み、上記データ制御手段は、上記復号手段により復号された復号済静止画像データを上記フレームメモリに格納することが好ましい。
【００２９】
上記の構成によれば、フレームメモリに圧縮した静止画像データを格納するため、復号した静止画像データを格納するよりも多くの静止画像データをフレームメモリに格納しておくことができる。
【００３０】
したがって、表示部に対して静止画像をスライドショー形式で表示する場合には、多量の静止画像をスライドショー表示に用いることができる効果を奏する。
【００３１】
本発明に係る画像表示装置では、さらに、上記フレームメモリは、上記画像処理手段において画像処理の施された静止画像データを複数記録する記録容量を有していることが好ましい。
【００３２】
上記の構成によれば、動画像データから生成されるフレーム画像を記録するために用いられるフレームメモリに、複数の復号済静止画像データを記録させることができる。
【００３３】
これによって、表示部に対して静止画像をスライドショー形式で表示する場合には、多量の静止画像をスライドショー表示に用いることができる効果を奏する。
【００３４】
本発明に係る画像表示装置では、さらに、上記フレームメモリは、複数の復号済静止画像データを記録する記録容量を有していることが好ましい。
【００３５】
上記の構成によれば、１つのフレームメモリに復号済静止画像データを複数記録しておくことができるため、次の静止画像データを読み出す際に、復号手段における静止画像データの復号処理をスキップすることができる。
【００３６】
これによって、静止画像をスライドショー形式で表示する場合には、多量の静止画像をスライドショー表示に用いることができると共に、静止画像を表示する際に要する時間を短縮することができる効果を奏する。
【００３７】
本発明に係る画像表示装置では、さらに、上記表示用フレーム画像生成手段は、上記表示部における光学応答性を向上させるようにフレーム画像を変換する応答性向上処理手段を含み、上記フレームメモリの少なくとも１つは、上記応答性向上処理手段において用いられたフレーム画像を格納するためのフレームメモリであることが好ましい。
【００３８】
上記の構成によれば、静止画像データを格納するためのフレームメモリを新たに追加する必要がなくなるため、消費電力を削減することができると共に、画像表示装置の小型化（または薄型化）を図ることもできるという効果を奏する。
【００３９】
本発明に係る画像表示装置では、さらに、上記表示用フレーム画像生成手段は、動画像データにおけるフレーム周波数を所定倍する倍速処理手段を含み、上記フレームメモリの少なくとも１つは、上記倍速処理手段における処理に用いられたフレーム画像を格納するためのフレームメモリであることが好ましい。
【００４０】
上記の構成によれば、静止画像データを格納するためのフレームメモリを新たに追加する必要がなくなるため、消費電力を削減することができると共に、画像表示装置の小型化（または薄型化）を図ることもできるという効果を奏する。
【００４１】
本発明に係る画像表示装置は、上記課題を解決するために、
画像に画像処理を施す画像処理手段と、動画像データに含まれるフレーム画像であって、上記画像処理部において画像処理が施されたフレーム画像から表示部に供給される表示用フレーム画像を生成する表示用フレーム画像生成部と、を備えた画像表示装置であって、動画像の代わりに静止画像を表示する静止画像表示モードにおいて、上記表示用フレーム画像を格納するためのフレームメモリに静止画像データを格納するとともに、当該フレームメモリに格納された静止画像データを繰り返し読み出すデータ制御部と、上記静止画像表示モードにおいて、上記データ制御部により読み出された静止画像データの表す静止画像を上記表示部に表示させる表示制御部と、上記静止画像表示モードにおいて、上記表示用フレーム画像生成部とは電力供給路を異にする上記画像処理部に対する電力の供給を遮断する電力供給遮断部と、を備えていることを特徴としている。
【００４２】
本発明に係る画像表示装置では、さらに、上記表示用フレーム画像生成部と上記フレームメモリの少なくとも１つとは、単一の電源供給路を介して供給された電力により動作することが好ましい。
【００４３】
本発明に係る画像表示装置では、さらに、上記表示用フレーム画像生成部と上記フレームメモリとは、互いに独立した電源供給路を介して供給された電力により動作することが好ましい。
【００４４】
本発明に係る画像表示装置における静止画像の表示方法は、上記課題を解決するために、
画像に画像処理を施す画像処理手段と、動画像データに含まれるフレーム画像であって、上記画像処理手段により画像処理が施されたフレーム画像から表示部に供給される表示用フレーム画像を生成する表示用フレーム画像生成手段と、を備えた画像表示装置における静止画像の表示方法であって、動画像の代わりに静止画像を表示する静止画像表示モードにおいて、上記表示用フレーム画像を格納するためのフレームメモリに静止画像データを格納するデータ格納ステップと、上記データ格納ステップが完了した時点で、上記画像処理手段として機能するハードウェアであって、上記表示用フレーム画像生成手段として機能するハードウェアとは電力供給路を異にするハードウェアに対する電力の供給を遮断する電力供給遮断ステップと、上記静止画像表示モードにおいて、上記フレームメモリに格納された静止画像データを繰り返し読み出すデータ読み出しステップと、上記静止画像表示モードにおいて、上記データ読み出しステップにおいて読み出された静止画像データの表す静止画像を上記表示部に表示させる表示制御ステップと、を含むことを特徴としている。
【００４５】
本発明に係る画像表示装置における静止画像の表示方法は、上記課題を解決するために、
画像に画像処理を施す画像処理手段と、動画像データに含まれるフレーム画像であって、上記画像処理手段により画像処理が施されたフレーム画像から表示部に供給される表示用フレーム画像を生成する表示用フレーム画像生成手段と、を備えた画像表示装置における静止画像の表示方法であって、動画像の代わりに静止画像を表示する静止画像表示モードの選択された時点で、上記画像処理手段として機能するハードウェアであって、上記表示用フレーム画像生成手段として機能するハードウェアとは電力供給路を異にするハードウェアに対する電力の供給を遮断する電力供給遮断ステップと、上記静止画像表示モードにおいて、上記表示用フレーム画像を格納するためのフレームメモリに静止画像データを格納するデータ格納ステップと、上記静止画像表示モードにおいて、上記フレームメモリに格納された静止画像データを繰り返し読み出すデータ読み出しステップと、上記静止画像表示モードにおいて、上記データ読み出しステップにおいて読み出された静止画像データの表す静止画像を上記表示部に表示させる表示制御ステップと、を含むことを特徴としている。
【００４６】
上記の構成によれば、本発明に係る画像表示装置と同様の作用効果を奏する。
【００４７】
また、本発明に係る画像表示装置を動作させるためのプログラムであって、コンピュータを上記の各手段として駆動させることを特徴とするプログラムおよび該プログラムを記録したコンピュータ読み取り可能な記録媒体も本発明の範疇に含まれる。
【発明の効果】
【００４８】
本発明に係る画像表示装置は、以上のように、動画像の代わりに静止画像を表示する静止画像表示モードにおいて、表示用フレーム画像を格納するためのフレームメモリに静止画像データを格納するとともに、フレームメモリに格納された静止画像データを繰り返し読み出すデータ制御手段と、画像処理手段として機能し、表示用フレーム画像生成手段とは電力供給路を異にするハードウェアに対する電力の供給を遮断する電力供給遮断手段とを備えている。
【００４９】
これによって、本発明に係る画像表示装置では、メモリの回路規模を増大させることなく、静止画像を表示する際に要する消費電力を低減することができる効果を奏する。
【発明を実施するための最良の形態】
【００５０】
〔実施形態１〕
本発明に係る画像表示装置の一実施形態を、図１および２を参照しつつ以下に説明する。本発明に係る画像表示装置は、動画像を表示することができると共に、静止画像も表示することができるものである。なお、本実施形態では、表示する静止画像がＪＰＥＧ形式により圧縮された静止画像（すなわち、ＪＰＥＧ画像）である場合を例に挙げて説明するが、もちろんこれに限定されるものではなく、他の形式により圧縮された静止画像であってもよい。
【００５１】
なお、本明細書等では、画像表示部において静止画像をスライドショー表示するか、または一枚表示する処理（または機能）を「ギャラリーモード（機能）」と称する。
【００５２】
（画像表示装置１００の構成）
本発明に係る画像表示装置の構成について、図１を参照しつつ以下に説明する。図１は、画像表示装置１００の要部構成を示すブロック図である。図１に示すように、画像表示装置１００は、画像処理部２００、動画表示性能向上部３００、制御部４００、電力供給遮断部４５０、操作入力部４６０、静止画像データメモリ４７０および画像表示部４８０を備えている。これらの部材について、以下に説明する。
【００５３】
なお、画像表示装置１００における動画像の表示処理に関する部材については、便宜上図１には示していないが、もちろん画像表示装置１００に備えられている。画像表示装置１００において動画像を表示する構成は、従来公知の構成であればよく、動画像を表示するアルゴリズムは、従来公知のアルゴリズムを用いることができる。
【００５４】
（画像処理部２００）
画像処理部２００は、動画像データからフレーム画像を生成し、生成したフレーム画像を高画質化処理するか、または静止画像データを高画質化処理する。画像処理部２００は、図１に示すように、復号部２１０、処理実行部２１１およびフレームメモリ２１２を備えている。これらの部材について以下に詳細に説明する。
【００５５】
ここで、本明細書等において「フレーム画像」と「静止画像データ（ＪＰＥＧ画像）」とは異なるものである。すなわち、フレーム画像とは、動画像データを構成するものであり、動画像データから生成されるものを意味しており、静止画像データと同一のものではない。
【００５６】
（復号部２１０）
復号部２１０は、静止画像データメモリ４７０に記録されているＪＰＥＧ画像を復号する。言い換えれば、復号部２１０は、いわゆるＪＰＥＧデコーダである。なお、復号部２１０は、静止画像データの形式に応じて適宜変更すればよい。
【００５７】
また、復号部２１０は、静止画デコード専用の手段を用いたハードウェア処理により実現してもよいし、マイコンによるソフトウェア処理により実現してもよい。
【００５８】
なお、本実施形態では、復号部２１０において復号される前の静止画像データをＪＰＥＧ画像と称し、復号部２１０において復号したＪＰＥＧ画像を復号済静止画像と称する。
【００５９】
（処理実行部２１１）
処理実行部２１１は、復号部２１０において復号され、フレームメモリ２１２に保持されている復号済静止画像を高画質化処理する。なお、復号済静止画像を高画質化処理するアルゴリズムは、従来公知のアルゴリズムを用いればよい。
【００６０】
（フレームメモリ２１２）
フレームメモリ２１２は、復号済静止画像であり、処理実行部２１１において高画質化処理を実行する復号済静止画像を保持する。
【００６１】
フレームメモリ２１２は、画像処理部２００と同一の電力供給ラインにより電力の供給を受ける。したがって、画像処理部２００に対する電力の供給が遮断された場合には、フレームメモリ２１２の動作も停止することになる。
【００６２】
（動画表示性能向上部３００）
動画表示性能向上部３００は、動画像を表示する場合に、動画像データの表示性能を向上させるなどの高品質化処理を実行する。すなわち、画像処理部２００において処理したフレーム画像から実際に表示する際に用いるフレーム画像を生成する。動画表示性能向上部３００は、図１に示すように、倍速処理部３１０、ＱＳ処理部３１１、メモリ制御部３１２、３１３、フレームメモリ３１４、３１５、および画像セレクタ部３２０を備えている。これらの部材について以下に詳細に説明する。
【００６３】
なお、動画表示性能向上部３００と画像処理部２００とは、互いに独立した電力供給ラインにより電力が供給される。すなわち、動画表示性能向上部３００に対する電力供給を遮断した場合であっても、画像処理部２００を動作させ続けることができ、逆に画像処理部２００に対する電力供給を遮断した場合であっても、動画表示性能向上部３００を動作させ続けることができる。
【００６４】
（倍速処理部３１０）
倍速処理部３１０は、メモリ制御部３１２によりフレームメモリ３１４から読み出される動画像データのフレーム周波数をＮ倍（Ｎ＝１、２、３・・・）する。なお、倍速処理部３１０における動画像データのフレーム周波数の倍化処理は、従来公知のアルゴリズムを用いればよい。
【００６５】
（ＱＳ処理部３１１）
ＱＳ処理部３１１は、メモリ制御部３１３によりフレームメモリ３１５から読み出されるフレーム画像を用いて、画像表示部４８０における描画応答性を向上させる。ＱＳ処理部３１１における描画応答性の向上処理は、従来公知のアルゴリズムを用いればよい。
【００６６】
なお、本実施形態では、画像表示部４８０における描画応答性の向上処理として、Quick Shoot（以下、単にＱＳと表記する）処理を用いる画像表示装置１００を例に挙げて説明しているが、もちろんこれに限定されるものではない。すなわち、画像表示部４８０における描画応答性の向上処理として用いるアルゴリズムとしては、従来公知のアルゴリズムであれば他のアルゴリズムを用いてもよい。
【００６７】
ここで、倍速処理部３１０およびＱＳ処理部３１１は、従来と同様に、静止画像を画像表示部４８０に表示する場合には駆動されない。すなわち、倍速処理部３１０およびＱＳ処理部３１１は、ＪＰＥＧ画像に対してどのような処理も実行しない。
【００６８】
（メモリ制御部３１２、３１３）
メモリ制御部３１２は、フレームメモリ３１４に対するデータの書き込みまたはフレームメモリ３１４からのデータの読み出しを制御する。また、メモリ制御部３１３は、フレームメモリ３１５に対するデータの書き込みまたはフレームメモリ３１５からのデータの読み出しを制御する。
【００６９】
（フレームメモリ３１４、３１５）
フレームメモリ３１４は、動画像を表示する場合には、倍速処理部３１０において倍化処理されるフレーム画像を保持し、静止画像を表示する場合には、復号済静止画像を記録する。また、フレームメモリ３１５は、動画像を表示する場合には、ＱＳ処理部３１１において描画応答性の向上に用いられるフレーム画像を保持し、静止画像を表示する場合には、復号済静止画像を記録する。
【００７０】
なお、本実施形態では、フレームメモリ３１４、３１５は、動画表示性能向上部３００と同一の電力供給ラインにより電力の供給を受ける場合を例に挙げて説明する。
【００７１】
（画像セレクタ部３２０）
画像セレクタ部３２０は、所定のフレームメモリから読み出された復号済静止画像のみを画像表示部４８０に対して出力する。
【００７２】
（制御部４００）
制御部４００は、画像表示装置１００における静止画像表示（および動画像表示）の動作全般を制御する。制御部４００は、図１に示すように、データ制御部４１０および表示制御部４１１を備えている。これらの部材について以下に詳細に説明する。
【００７３】
（データ制御部４１０）
データ制御部４１０は、静止画像（復号済静止画像）を表示する場合の動作全般を制御する。具体的には、データ制御部４１０は、主として、復号済静止画像のフレームメモリへの書き込み、フレームメモリからの復号済静止画像の読み出し、および画像処理部２００に対する電力供給の遮断タイミングを制御する。
【００７４】
（表示制御部４１１）
表示制御部４１１は、画像セレクタ部３２０（すなわち、動画表示性能向上部３００）から出力される復号済静止画像を画像表示部４８０にとって所望のタイミングで表示させるための制御信号を生成する。すなわち、動画表示性能向上部３００から出力された復号済静止画像は、表示制御部４１１から画像表示部４８０に対して供給される制御信号のタイミングにしたがって表示される。
【００７５】
（電力供給遮断部４５０）
電力供給遮断部４５０は、データ処理制御部４１０からの指示に従って、画像処理部２００に対して供給されている電力を遮断する回路である。
【００７６】
（操作入力部４６０）
操作入力部４６０は、ユーザーからの指示を受け付けるインターフェースであり、ギャラリーモードに切り替えるボタンなどの各種ボタンを備えている。なお、操作入力部４６０は、画像表示装置１００に備えられているインターフェースに限定されるものではなく、例えば、リモコンのように画像表示装置１００とは別体の装置であってもよい。
【００７７】
（静止画像データメモリ４７０）
静止画像データメモリ４７０は、ＪＰＥＧ画像を格納するメモリである。なお、静止画像データメモリ４７０に格納されているＪＰＥＧ画像は、複数であってもよい。静止画像データメモリ４７０に複数のＪＰＥＧ画像が格納されている場合には、例えば、操作入力部４６０を介したユーザーの指示に基づいて、画像表示部４８０に表示するＪＰＥＧ画像を選択するようにすればよい。
【００７８】
また、静止画像データメモリ４７０は、画像表示装置１００の内部に備えられたものに限定されるものではなく、画像表示装置１００の外部に備えられたメモリであってもよい。例えば、静止画像データメモリ４７０は、ＳＤカードまたはフラッシュメモリなどのように自身を画像表示装置１００に接続可能なメモリであってもよいし、画像表示装置１００に接続されているレコーダ内のメモリのように画像表示装置１００に接続された別の機器に備えられたメモリであってもよい。
【００７９】
（画像表示部４８０）
画像表示部４８０は、静止画像または動画像を表示するディスプレイである。画像表示部４８０としては、例えば、液晶表示パネルを備えた液晶ディスプレイを挙げることができる。もちろん、画像表示部４８０は、液晶ディスプレイに限定されるものではなく、有機ＥＬパネルを備えた有機ＥＬディスプレイなど他のディスプレイ装置であってもよい。
【００８０】
（画像表示装置１００における静止画像表示動作）
次に、画像表示装置１００における静止画像表示動作の一例を、図２を参照しつつ以下に説明する。図２は、画像表示装置１００における静止画像の表示処理の動作を示すフローチャートである。
【００８１】
画像表示装置１００における静止画像表示処理は、大別して、静止画像記録フェーズ、電力供給遮断フェーズ、および静止画像表示フェーズの３つのフェーズに分けることができる。本項では、各フェーズにおける動作の概要を説明するに留め、それぞれのフェーズ毎の詳細については以下に説明する。
【００８２】
まず、復号部２１０は、静止画像データメモリ４７０からＪＰＥＧ画像を読み出し、読み出したＪＰＥＧ画像を復号する（ステップＳ１）。復号部２１０は、復号済静止画像を、一旦、フレームメモリ２１２に展開する。続いて、処理実行部２１１は、フレームメモリ２１２に展開されている復号済静止画像を読み出し、高画質化処理を実行する（ステップＳ２）。
【００８３】
復号済静止画像が動画表示性能向上部３００に出力されると、データ制御部４１０からの指示を受けたメモリ制御部は、高品質処理において使用されるフレームメモリのいずれかに、入力された復号済静止画像を書き込む（ステップＳ３）。フレームメモリに対する復号済静止画像の書き込みが完了すると、データ制御部４１０は、予め定められた数の復号済静止画像をフレームメモリに記録したか否かを判定する（ステップＳ４）。データ制御部４１０が、予め定められた数の復号済静止画像を記録していないと判定した場合（ステップＳ４においてＮｏ）、ステップＳ１からＳ３までの処理を再度実行する。
【００８４】
一方、データ制御部４１０が、予め定められた数の復号済静止画像を記録したと判定した場合（ステップＳ４においてＹｅｓ）、電力供給遮断部４５０は、画像処理部２００に対して供給されている電力を遮断する（ステップＳ５）。これによって、画像処理部２００における各部は動作を停止する。
【００８５】
次に、データ制御部４１０からの指示を受けたメモリ制御部が、ステップＳ３において復号済静止画像を記録したフレームメモリから復号済静止画像を読み出す（ステップＳ６）。そして、表示制御部４１１は、画像表示部４８０に対して供給する制御信号のタイミングに従い、読み出された復号済静止画像を画像表示部４８０に表示する（ステップＳ７）。
【００８６】
復号済静止画像を画像表示部４８０に表示すると、データ制御部４１０は、フレームメモリに記録されている全ての復号済静止画像の表示を完了したか否かを判定する（ステップＳ８）。データ制御部４１０が全ての復号済静止画像の表示が完了していないと判定した場合には（ステップＳ８においてＮｏ）、ステップＳ６およびＳ７の処理を再度実行する。
【００８７】
一方、データ制御部４１０が全ての復号済静止画像の表示が完了したと判定した場合には（ステップＳ８においてＹｅｓ）、操作入力部４６０を介して、ギャラリーモードの終了が指示されたか否かを判定する（ステップＳ９）。操作入力部４６０を介して、ギャラリーモードの終了が指示された場合（ステップＳ９においてＹｅｓ）、画像表示装置１００は、復号済静止画像の表示を終了する。すなわち、ギャラリーモードを終了する。一方、ギャラリーモードの終了が指示されていない場合（ステップＳ９においてＮｏ）、ステップＳ６からの処理を再度実行する。
【００８８】
なお、上述した静止画像処理動作では、フレームメモリに記録した復号済静止画像を全て表示する場合を例に挙げて説明しているが、これに限定されるものではない。例えば、予めユーザーにより表示する静止画像の枚数が指定されている場合には、その指定枚数になるまで、復号済静止画像を表示するようにすればよい。
【００８９】
さらに、上述した静止画像処理動作では、全ての静止画像を表示した後にギャラリーモードの終了を判定しているが、ギャラリーモードの終了はもちろんこれに限定されるものではない。例えば、ユーザーから、操作入力部４６０を介して、ギャラリーモードの終了が指示された場合には、即座にギャラリーモードを終了するようにしてもよい。
【００９０】
また、画像表示装置１００において動画像を表示させる場合の処理は従来と同様である。すなわち、画像処理部２００に入力された動画像データは、処理実行部２１１を介して動画表示性能向上部３００へと出力され、動画表示性能向上部３００における倍速処理部３１０、ＱＳ処理部３１１、画像セレクタ部３２０を経て、画像表示部４８０に出力される。なお、動画像データは、放送を受信することにより得られるデータであってもよいし、ネットワークを介して得られるデータであってもよいし、所定の記憶部から読み出したデータであってもよい。
【００９１】
（静止画像記録フェーズの詳細）
次に、静止画像表示処理における静止画像記録フェーズの詳細について、以下に説明する。静止画像記録フェーズは、操作入力部４６０を介したユーザーからの指示に基づいて開始されるフェーズである。すなわち、データ制御部４１０が操作入力部４６０を介したユーザーからのギャラリーモードの開始指示信号を受信することにより開始されるフェーズであり、図２におけるステップＳ１からＳ４に対応する。
【００９２】
ここで、本実施形態では、静止画像記録フェーズ、電力供給遮断フェーズ、および静止画像表示フェーズの詳細な説明において、フレームメモリ３１４およびフレームメモリ３１５のそれぞれ１つずつの復号済静止画像を記録する場合であり、表示される静止画像を順次切り換えることにより復号済静止画像をスライドショー表示する場合を例に挙げて説明する。
【００９３】
まず、復号部２１０は、静止画像データメモリ４７０からＪＰＥＧ画像を読み出し、読み出したＪＰＥＧ画像を復号する。復号部２１０は、復号したＪＰＥＧ画像（復号済静止画像）を、一旦、フレームメモリ２１２に展開する。続いて、処理実行部２１１は、フレームメモリ２１２に展開されている復号済静止画像を読み出し、高画質化処理を実行する。処理実行部２１１は、高画質化処理した復号済静止画像を動画表示性能向上部３００に対して出力する。
【００９４】
復号済静止画像が動画表示性能向上部３００に出力されると、データ制御部４１０は、メモリ制御部３１２に対して、入力された復号済静止画像をフレームメモリ３１４に書き込むように指示する。より具体的には、データ制御部４１０は、フレームメモリ３１４に対しての書き込み要求の有効な送信元を倍速処理部３１０からデータ制御部４１０に切り替えるための制御信号と、メモリ制御部３１２に入力された復号済静止画像の書き込み要求とをメモリ制御部３１２に対して送信する。
【００９５】
データ制御部４１０からの指示を受けたメモリ制御部３１２は、フレームメモリ３１４に対して、入力された復号済静止画像を書き込む。なお、復号済静止画像のフレームメモリ３１４への記録が完了すると、メモリ制御部３１２は、復号済静止画像の記録を完了した旨の信号をデータ制御部４１０に対して送信する。
【００９６】
メモリ制御部３１２から復号済静止画像の記録完了の信号を受けたデータ制御部４１０は、予め定められた数の復号済静止画像をフレームメモリに記録したか否かを判定する。このとき、記録が完了している復号済静止画像は１つであるため、データ制御部４１０は、再度復号済静止画像の記録を実行する。
【００９７】
復号部２１０は、静止画像データメモリ４７０から、新たなＪＰＥＧ画像を読み出し、復号する。復号されたＪＰＥＧ画像（復号済静止画像）は、先と同様の処理により高画質化処理され、動画表示性能向上部３００に対して出力される。
【００９８】
復号済静止画像が動画表示性能向上部３００に出力されると、メモリ制御部３１３は、フレームメモリ３１５に対して、入力された復号済静止画像を書き込む。このとき、データ制御部４１０は、既に復号済静止画像を記録しているフレームメモリ３１４とは異なるフレームメモリ３１５に新たな復号済静止画像を記録するように指示する。
【００９９】
より具体的には、データ制御部４１０は、フレームメモリ３１５に対しての書き込み要求の有効な送信元をＱＳ処理部３１１からデータ制御部４１０に切り替えるための制御信号と、メモリ制御部３１３に入力されたＪＰＥＧ画像の書き込み要求とをメモリ制御部３１３に対して送信する。同時に、データ制御部４１０は、メモリ制御部３１２に対して、入力される復号済静止画像を記録せず、メモリ制御部３１３に対して出力するように制御信号を送信する。なお、復号済静止画像のフレームメモリ３１５への記録が完了すると、メモリ制御部３１３は、復号済静止画像の記録を完了した旨の信号をデータ制御部４１０に対して送信する。
【０１００】
メモリ制御部３１３から復号済静止画像の記録完了の信号を受けたデータ制御部４１０は、予め定められた数の復号済静止画像をフレームメモリに記録したか否かを再度判定する。このとき、記録が完了している復号済静止画像は２つであり、所定の数となっているため、静止画像表示処理は次の電力供給遮断フェーズに移行する。
【０１０１】
なお、本項では、１枚目の復号済静止画像をフレームメモリ３１４に記録し、２枚目の復号済静止画像をフレームメモリ３１５に記録する場合を例に挙げて説明したが、もちろんこれに限定されるものではない。１枚目の復号済静止画像をフレームメモリ３１５に記録し、２枚目の復号済静止画像をフレームメモリ３１４に記録するようにしてもよい。
【０１０２】
（電力供給遮断フェーズの詳細）
次に、静止画像表示処理における電力供給遮断フェーズの詳細について、以下に説明する。電力供給遮断フェーズは、データ制御部４１０が、予め定められた数の復号済静止画像を記録したと判定することを契機に開始されるフェーズであり、図２におけるステップＳ５に対応する。
【０１０３】
データ制御部４１０は、予め定められた数の復号済静止画像を記録したと判定すると、電力供給遮断部４５０に対して、画像処理部２００に対して供給されている電力の遮断を指示する。電力供給遮断部４５０は、データ制御部４１０からの指示を受けて、画像処理部２００に対して供給されている電力を遮断する。これによって、供給される電力を遮断された画像処理部２００における各部材は、その機能を停止する。
【０１０４】
電力供給遮断部４５０は、画像処理部２００に対する電力の遮断処理が完了すると、データ制御部４１０に対して電力供給停止を完了した旨の信号を送信する。データ制御部４１０は、電力供給遮断部４５０からの電力供給停止完了の信号を受信することにより、画像処理部２００に対する電力供給の遮断が完了したと判定する。
【０１０５】
画像処理部２００に対して供給されている電力の遮断が完了すると、静止画像表示処理は、次の静止画像表示フェーズに移行する。
【０１０６】
（静止画像表示フェーズの詳細）
次に、静止画像表示処理における静止画像表示フェーズの詳細について、以下に説明する。静止画像表示フェーズは、電力供給遮断部４５０により、画像処理部２００に対して供給されている電力が遮断されたことを契機として開始されるフェーズであり、図２におけるステップＳ６からＳ９に対応する。
【０１０７】
画像処理部２００における電力供給の遮断が完了すると、データ制御部４１０は、フレームメモリ３１４から復号済静止画像を読み出すように指示する。より具体的には、データ制御部４１０は、フレームメモリ３１４に対しての読み出し要求の有効な送信元を倍速処理部３１０からデータ制御部４１０に切り替えるための制御信号と、復号済静止画像の読み出し要求とをメモリ制御部３１２に対して送信する。同時に、データ制御部４１０は、メモリ制御部３１３に対して、入力される復号済静止画像を画像セレクタ部３２０に対して出力するように制御信号を送信する。さらに、データ制御部４１０は、画像セレクタ部３２０に対して、メモリ制御部３１２から出力される復号済静止画像を選択出力するように制御信号を送信する。
【０１０８】
このように処理を実行することによって、フレームメモリ３１４から読み出された復号済静止画像は、メモリ制御部３１３および画像セレクタ部３２０を経由して画像表示部４８０に供給される。画像表示部４８０に供給された復号済静止画像は、表示制御部４１１から画像表示部４８０に供給される制御信号のタイミングに従って、画像表示部４８０に表示される。
【０１０９】
続いて、データ制御部４１０は、フレームメモリ３１５から復号済静止画像を読み出すように指示する。より具体的には、データ制御部４１０は、フレームメモリ３１５に対しての読み出し要求の有効な送信元をＱＳ処理部３１１からデータ制御部４１０に切り替えるための制御信号と、復号済静止画像の読み出し要求とをメモリ制御部３１３に対して送信する。また、データ制御部４１０は、画像セレクタ部３２０に対して、メモリ制御部３１３から出力される復号済静止画像を選択出力するように、制御信号を送信する。
【０１１０】
このように処理を実行することによって、フレームメモリ３１５から読み出された復号済静止画像は、画像セレクタ部３２０を経由して画像表示部４８０に供給される。画像表示部４８０に供給された復号済静止画像は、表示制御部４１１から画像表示部４８０に供給される制御信号のタイミングに従って、画像表示部４８０に表示される。
【０１１１】
上述したように、フレームメモリ３１４からの復号済静止画像の読み出し動作およびフレームメモリ３１５からの復号済静止画像の読み出し動作を、予め設定された時間間隔により切り替えることにより、画像表示部４８０において静止画像のスライドショー表示を可能にすることができる。
【０１１２】
なお、上述した静止画像表示フェーズでは、フレームメモリ３１４から復号済静止画像を読み出した後に、フレームメモリ３１５から復号済静止画像を読み出す場合を例に挙げて説明したが、もちろんこれに限定されるものではなく、フレームメモリから読み出す順序については、ユーザが操作入力部４６０を介して適宜設定することができる。もちろん、ランダムにフレームメモリから復号済静止画像を読み出すようにしてもよい。
【０１１３】
また、１枚の静止画像のみを表示させるように、ユーザーが操作入力部４６０を介して設定している場合には、フレームメモリ３１４または３１５のいずれかの復号済静止画像のみを表示させ続けることも可能である。
【０１１４】
（実施形態１の構成による利点）
以上説明したように、画像表示装置１００は、復号したＪＰＥＧ画像（復号済静止画像）を記録するためのフレームメモリとして、表示部４８０に表示するフレーム画像を格納するために設けられているフレームメモリ３１４、３１５を利用する。すなわち、画像表示装置１００では、通常では復号済静止画像を記録しないフレームメモリ３１４、３１５に復号済静止画像を記録する。
【０１１５】
これによって、画像表示装置１００では、画像処理部２００とは電力供給路を異とする、動画表示性能向上部３００における処理において使用するフレームメモリ３１４、３１５から復号済静止画像を繰り返し読み出すことができる。そのため、電力供給遮断部４５０は、従来では常に電力を供給し続けなければならなかった画像処理部２００に対する電力の供給を遮断することができる。もちろん、画像処理部２００以外であっても、復号済静止画像を表示する際に利用されないハードウェアであれば、復号済静止画像を表示する際（すなわち、ギャラリーモードを実行する際）に電力の供給を遮断してもよい。すなわち、復号済静止画像を表示する際に利用されないハードウェアであれば、画像処理部２００と共に電力の供給を遮断することができる。
【０１１６】
また、画像表示装置１００では、復号済静止画像の表示の際には利用していなかったフレームメモリ３１４、３１５を利用するため、新たなフレームメモリを増設する必要もない。
【０１１７】
したがって、画像表示装置１００では、メモリの回路規模を増大させることなく、復号済静止画像を表示する際に要する消費電力を低減することができる。すなわち、消費電力を削減することができると共に、画像表示装置１００の小型化（または薄型化）を図ることもできる。
【０１１８】
また、画像表示装置１００では、復号済静止画像の高画質化処理後に電力供給が画像処理部２００に対する電力の供給が遮断されるため、フレームメモリ３１４、３１５に格納される復号済静止画像に高画質化処理を施すことができる。
【０１１９】
これによって、高画質化処理の施されていない復号済静止画像が表示されてしまうこと、すなわち画質の劣化した復号済静止画像の表示を防止することができる。
【０１２０】
〔実施形態２〕
本発明に係る画像表示装置の他の実施形態について、図３および４を参照しつつ以下に説明する。図３は、画像表示装置１００ｂの要部構成を示すブロック図である。図３に示すように、画像表示装置１００ｂは、画像処理部２００ｂ、動画表示性能向上部３００ｂ、制御部４００、電力供給遮断部４５０、操作入力部４６０、静止画像データメモリ４７０および画像表示部４８０を備えている。なお、実施形態１と同様の部材については、同一の番号を付し、その説明を省略する。したがって、本実施形態では、画像処理部２００ｂおよび動画表示性能向上部３００ｂについてのみ、以下に説明する。
【０１２１】
（画像処理部２００ｂ）
画像処理部２００ｂは、入力された動画像データを高画質化処理する。画像処理部２００ｂは、図３に示すように、処理実行部２１１およびフレームメモリ２１２を備えている。すなわち、復号部２１０が備えられていない以外は、画像処理部２００と同様である。
【０１２２】
（動画表示性能向上部３００ｂ）
動画表示性能向上部３００ｂは、動画表示性能向上部３００と同様に、動画像を表示する場合に、動画像データの表示性能を向上させるなどの高品質化処理を実行する。動画表示性能向上部３００ｂは、図３に示すように、倍速処理部３１０、ＱＳ処理部３１１、メモリ制御部３１２、３１３、フレームメモリ３１４、３１５、画像セレクタ部３２０、および復号部３３０を備えている。すなわち、復号部３３０は備えている以外は、動画表示性能向上部３００と同様である。
【０１２３】
復号部３３０は、復号部２１０と同様に、ＪＰＥＧ画像を復号するＪＰＥＧデコーダである。また、復号部３３０は、復号部２１０と同様に、静止画デコード専用の手段を用いたハードウェア処理により実現してもよいし、マイコンによるソフトウェア処理により実現してもよい。
【０１２４】
したがって、本実施形態では、復号部３３０において復号される前の静止画像データをＪＰＥＧ画像と称し、復号部３３０において復号したＪＰＥＧ画像を復号済静止画像と称する。
【０１２５】
なお、動画表示性能向上部３００ｂと画像処理部２００ｂとは、互いに独立した電力供給ラインにより電力の供給が施される。すなわち、動画表示性能向上部３００ｂに対する電力供給を遮断した場合であっても、画像処理部２００ｂを動作させ続けることができ、逆に画像処理部２００ｂに対する電力供給を遮断した場合であっても、動画表示性能向上部３００ｂを動作させ続けることができる。
【０１２６】
また、図３において復号部３３０は、メモリ制御部３１２とメモリ制御部３１３との間に位置するように記載されているが、もちろんこれに限定されるものではない。すなわち、ＪＰＥＧ画像を記録するフレームメモリへの読み書きを制御するメモリ制御部とＪＰＥＧ画像を復号して得られる復号済静止画像を記録するフレームメモリへの読み書きを制御するメモリ制御部との間に設けられていればよい。
【０１２７】
（画像表示装置１００ｂにおける静止画像表示動作）
次に、画像表示装置１００ｂにおける静止画像表示動作の一例について、図４を参照しつつ以下に説明する。図４は、画像表示装置１００ｂにおける画像表示動作処理を示すフローチャートである。
【０１２８】
画像表示装置１００ｂにおける静止画像表示処理も、画像表示装置１００における静止画像表示処理と同様に、大別して、静止画像記録フェーズ、電力供給遮断フェーズ、および静止画像表示フェーズの３つのフェーズに分けることができる。本項では、先と同様に各フェーズにおける動作の概要を説明するに留め、それぞれのフェーズ毎の詳細については以下に説明する。
【０１２９】
まず、電力供給処理部４５０は、データ制御部４１０からの指示を受けて画像処理部２００ｂに対しての電力の供給を遮断する（ステップＳ１１）。これによって、画像処理部２００ｂに含まれる各部の処理は停止する。
【０１３０】
次に、データ制御部４１０からの指示を受けたメモリ制御部３１２は、静止画像データメモリ４７０からＪＰＥＧ画像を読み出し、フレームメモリ３１４に記録する（ステップＳ１２）。なお、フレームメモリに記録するＪＰＥＧ画像は、フレームメモリの限界まで記録するようにしてもよいし、ユーザーにより予め設定された数であってもよい。
【０１３１】
続いて、復号部３３０は、フレームメモリ３１４から読み出されたＪＰＥＧ画像を復号する（ステップＳ１３）。そして、データ制御部４１０からの指示を受けたメモリ制御部３１３は、復号部３３０において復号された復号済静止画像をフレームメモリ３１５に書き込む（ステップＳ１４）。このとき、復号部３３０において復号されたＪＰＥＧ画像を書き込むフレームメモリは、ＪＰＥＧ画像の記録されているフレームメモリ（すなわち、フレームメモリ３１４）とは異なるフレームメモリとすることが好ましい。なお、本実施形態では、フレームメモリ３１５に書き込まれた復号済静止画像について説明する。
【０１３２】
次に、データ制御部４１０からの指示を受けたメモリ制御部が、フレームメモリ３１５から復号済静止画像を読み出す（ステップＳ１５）。そして、表示制御部４１１は、画像表示部４８０に対して供給する制御信号のタイミングに従い、読み出された復号済静止画像を画像表示部４８０に表示する（ステップＳ１６）。
【０１３３】
復号済静止画像を画像表示部４８０に表示すると、データ制御部４１０は、フレームメモリ３１４に記録されている全てのＪＰＥＧ画像の表示を完了したか否かを判定する（ステップＳ１７）。データ制御部４１０がフレームメモリ３１４に記録されている全てのＪＰＥＧ画像の表示が完了していないと判定した場合には（ステップＳ１７においてＮｏ）、ステップＳ１３からの処理を再度実行する。
【０１３４】
一方、データ制御部４１０がフレームメモリ３１４に記録されている全てのＪＰＥＧ画像の表示が完了したと判定した場合には（ステップＳ１７においてＹｅｓ）、操作入力部４６０を介して、ギャラリーモードの終了が指示されたか否かを判定する（ステップＳ１８）。操作入力部４６０を介して、ギャラリーモードの終了が指示された場合（ステップＳ１８においてＹｅｓ）、画像表示装置１００ｂは、静止画像の表示処理を終了する。すなわち、ギャラリーモードを終了する。一方、ギャラリーモードの終了が指示されていない場合（ステップＳ１８においてＮｏ）、ステップＳ１３からの処理を再度実行する。
【０１３５】
なお、上述した静止画像処理動作では、フレームメモリに記録したＪＰＥＧ画像を全て表示する場合を例に挙げて説明しているが、これに限定されるものではない。例えば、予めユーザーにより表示する静止画像の枚数が指定されている場合には、その指定枚数になるまで、静止画像を表示するようにすればよい。
【０１３６】
また、上述した静止画像処理動作では、ギャラリーモードの終了が指示されていない場合にステップＳ１３から再度処理を実行する場合を例に挙げて説明しているが、ステップＳ１２のＪＰＥＧ画像をフレームメモリ３１４に書き込む処理（ステップＳ１２）から再度処理を実行するようにしてもよい。
【０１３７】
さらに、上述した静止画像処理動作では、全ての静止画像を表示した後にギャラリーモードの終了を判定しているが、ギャラリーモードの終了はもちろんこれに限定されるものではない。例えば、ユーザーから、操作入力部４６０を介して、ギャラリーモードの終了が指示された場合には、即座にギャラリーモードを終了するようにしてもよい。
【０１３８】
また、画像表示装置１００ｂにおいて動画像を表示させる場合の処理は従来と同様である。すなわち、画像処理部２００ｂに入力された動画像データは、処理実行部２１１を介して動画表示性能向上部３００ｂへと出力され、動画表示性能向上部３００ｂにおける倍速処理部３１０、ＱＳ処理部３１１、画像セレクタ部３２０を経て、画像表示部４８０に出力される。なお、動画像データは、放送を受信することにより得られるデータであってもよいし、ネットワークを介して得られるデータであってもよいし、所定の記憶部から読み出したデータであってもよい。
【０１３９】
（電源供給遮断フェーズの詳細）
次に、静止画像表示処理における電源供給遮断フェーズの詳細について、以下に説明する。電源供給遮断フェーズは、操作入力部４６０を介したユーザーからの指示に基づいて、開始されるフェーズである。すなわち、データ制御部４１０が操作入力部４６０を介したユーザーからのギャラリーモードの開始指示信号を受信することにより開始されるフェーズであり、図４におけるステップＳ１１に対応する。
【０１４０】
ここで、本実施形態では、静止画像記録フェーズ、電力供給遮断フェーズ、および静止画像表示フェーズの詳細な説明において、ＪＰＥＧ画像をフレームメモリ３１４に記録し、復号済静止画像をフレームメモリ３１５に記録する場合であり、フレームメモリ３１５から読み出される復号済静止画像を画像表示部４８０においてスライドショー表示する場合を例に挙げて説明する。
【０１４１】
ギャラリーモードへの移行指示を受けたデータ制御部４１０は、電力供給遮断部４５０に対して、画像処理部２００ｂに対して供給されている電力の遮断を指示する。電力供給遮断部４５０は、データ制御部４１０からの指示を受けて、画像処理部２００ｂに対して供給されている電力を遮断する。これによって、供給される電力を遮断された画像処理部２００ｂにおける各部材は、その機能を停止する。
【０１４２】
電力供給遮断部４５０は、実施形態１の場合と同様に、画像処理部２００ｂに対する電力の遮断処理が完了すると、データ制御部４１０に対して電力供給停止を完了した旨の信号を送信する。データ制御部４１０は、電力供給遮断部４５０からの電力供給停止完了の信号を受信することにより、画像処理部２００ｂに対する電力供給の遮断が完了したと判定する。
【０１４３】
画像処理部２００ｂに対して供給されている電力の遮断が完了すると、静止画像表示処理は、次の静止画像記録フェーズに移行する。
【０１４４】
（静止画像記録フェーズの詳細）
次に、静止画像表示処理における静止画像記録フェーズの詳細について、以下に説明する。静止画像記録フェーズは、電力供給遮断部４５０により、画像処理部２００ｂに対して供給されている電力が遮断されたことを契機として開始されるフェーズであり、図４におけるステップＳ１２からＳ１４に対応する。
【０１４５】
画像処理部２００ｂにおける電力供給の遮断が完了すると、データ制御部４１０は、メモリ制御部３１２に対して、静止画像データメモリ４７０に記録されているＪＰＥＧ画像のフレームメモリ３１４への格納を指示する。より具体的には、データ制御部４１０は、フレームメモリ３１４に対しての書き込み要求の有効な送信元を倍速処理部３１０からデータ制御部４１０に切り替えるための制御信号と、メモリ制御部３１２に入力されたＪＰＥＧ画像の書き込み要求とをメモリ制御部３１２に対して送信する。
【０１４６】
データ制御部４１０からの指示を受けたメモリ制御部３１２は、静止画像データメモリ４７０からＪＰＥＧ画像を１枚ずつ読み出し、読み出したＪＰＥＧ画像をフレームメモリ３１４に書き込む。なお、静止画像データメモリ４７０に記録されているＪＰＥＧ画像のフレームメモリ３１４への記録が完了すると、メモリ制御部３１２は、ＪＰＥＧ画像の記録を完了した旨の信号をデータ制御部４１０に対して送信する。
【０１４７】
メモリ制御部３１２からＪＰＥＧ画像の記録完了の信号を受けたデータ制御部４１０は、復号部３３０に対してフレームメモリ３１４に記録されているＪＰＥＧ画像を復号するように指示する。データ制御部４１０からの指示を受けた復号部３３０は、フレームメモリ３１４からＪＰＥＧ画像を読み出し、読み出したＪＰＥＧ画像を復号する。
【０１４８】
続いて、データ制御部４１０は、メモリ制御部３１３に対して、復号部３３０において復号された復号済静止画像のフレームメモリ３１５への格納を指示する。より具体的には、データ制御部４１０は、フレームメモリ３１５に対しての書き込み要求の有効な送信元をＱＳ処理部３１１からデータ制御部４１０に切り替えるための制御信号と、メモリ制御部３１３に入力された復号済静止画像の書き込み要求とをメモリ制御部３１３に対して送信する。
【０１４９】
データ制御部４１０からの指示を受けたメモリ制御部３１３は、復号部３３０において復号された復号済静止画像をフレームメモリ３１５に書き込む。なお、復号済静止画像のフレームメモリ３１５への記録が完了すると、メモリ制御部３１３は、復号済静止画像の記録を完了した旨の信号をデータ制御部４１０に対して送信する。
【０１５０】
データ制御部４１０がメモリ制御部３１３から復号済静止画像の記録完了の信号を受けると、静止画像表示処理は、次の静止画像表示フェーズに移行する。
【０１５１】
（静止画像表示フェーズ）
次に、静止画像表示処理における静止画像表示フェーズの詳細について、以下に説明する。静止画像表示フェーズは、データ制御部４１０が、メモリ制御部３１３から復号済静止画像の記録完了の信号を受けたことを契機に開始されるフェーズであり、図４におけるステップＳ１５からＳ１８に対応する。
【０１５２】
データ制御部４１０は、メモリ制御部３１３から復号済静止画像の記録完了の信号を受けると、データ制御部４１０は、フレームメモリ３１５から復号済静止画像を読み出すように指示する。より具体的には、データ制御部４１０は、フレームメモリ３１５に対しての読み出し要求の有効な送信元をＱＳ処理部３１１からデータ制御部４１０に切り替えるための制御信号と、復号済静止画像の読み出し要求とをメモリ制御部３１３に対して送信する。また、データ制御部４１０は、画像セレクタ部３２０に対して、メモリ制御部３１３から出力される復号済静止画像を選択出力するように、制御信号を送信する。
【０１５３】
このような処理を実行することによって、フレームメモリ３１５から読み出された復号済静止画像は、画像セレクタ部３２０を経由して画像表示部４８０に供給される。画像表示部４８０に供給された復号済静止画像は、表示制御部４１１から画像表示部４８０に供給される制御信号のタイミングに従って、画像表示部４８０に表示される。そして、これを逐次繰り返すことにより、フレームメモリ３１５に記録された複数の復号済静止画像を画像表示部４８０にスライドショー表示することができる。
【０１５４】
なお、上述した静止画像表示動作では、フレームメモリ３１４に記録されている圧縮された復号済静止画像を、フレームメモリ３１５に展開する場合を例に挙げて説明しているが、もちろんこれに限定されるものではない。また、復号済静止画像を展開するフレームメモリは、２つ以上であってもよい。
【０１５５】
（実施形態２の構成の利点）
以上説明したように、画像表示装置１００ｂであっても、画像表示装置１００と同様に、ＪＰＥＧ画像およびＪＰＥＧ画像を復号した画像（復号済静止画像）を記録するためのフレームメモリとして、表示部４８０に表示するフレーム画像を格納するために設けられているフレームメモリ３１４、３１５を利用する。
【０１５６】
そのため、画像表示装置１００ｂであっても、画像表示装置１００と同様に、画像処理部２００ｂとは電力供給路を異とする、動画表示性能向上部３００ｂにおける処理において使用するフレームメモリ３１４、３１５から復号済静止画像を繰り返し読み出すことができる。そのため、電力供給遮断部４５０は、従来では常に電力を供給し続けなければならなかった画像処理部２００ｂに対する電力の供給を遮断することができる。もちろん、画像処理部２００ｂ以外であっても、復号済静止画像を表示する際に利用されないハードウェアであれば、復号済静止画像を表示する際（すなわち、ギャラリーモードを実行する際）に電力の供給を遮断してもよい。すなわち、復号済静止画像を表示する際に利用されないハードウェアであれば、画像処理部２００ｂと共に電力の供給を遮断することができる。
【０１５７】
また、画像表示装置１００ｂであっても、画像表示装置１００と同様に、静止画像の表示の際には利用していなかったメモリであるフレームメモリ３１４、３１５をＪＰＥＧ画像および復号済静止画像を記録するためのメモリとして利用するため、新たにメモリを増設する必要もない。
【０１５８】
したがって、画像表示装置１００ｂであっても、メモリの回路規模を増大させることなく、復号済静止画像を表示する際に要する消費電力を低減することができる。すなわち、消費電力を削減することができると共に、画像表示装置１００ｂの小型化（または薄型化）を図ることもできる。
【０１５９】
また、画像表示装置１００ｂでは、静止画像の表示処理を開始した時点で、すなわち、ギャラリーモードを開始した時点で、画像処理部２００ｂに対する電力の供給を遮断することができる。これによって、復号済静止画像を表示する際に要する消費電力をより一層低減することができる。
【０１６０】
また、画像表示装置１００ｂでは、動画像データを記録するために用いられるフレームメモリ３１４に、ＪＰＥＧ画像を記録するため、すなわち、圧縮されている画像データを記録するため、フレームメモリ３１４に非常に多量のＪＰＥＧ画像を記録することができる。
【０１６１】
したがって、画像表示部４８０に対して復号済静止画像をスライドショー形式で表示する場合には、非常に多量の静止画像をスライドショー表示させることができる。
【０１６２】
（フレームメモリ）
実施形態１および２では、フレームメモリに記録される復号済静止画像の数がいずれも１つである場合を例に挙げて説明しているが、復号済静止画像を記録するフレームメモリが複数フレームの記録が可能である場合には、複数の復号済静止画像を記録するようにしてもよい。
【０１６３】
これによって、動画像データを記録するために用いられるフレームメモリに、複数の復号済静止画像を記録することができる。したがって、画像表示部４８０に対して静止画像をスライドショー形式で表示する場合には、多量の静止画像をスライドショー表示させることができる。また、復号して読み出す処理をスキップすることができるため、画像表示部４８０に表示するまでに要する時間を短縮することができる。
【０１６４】
（付記事項）
図１および２では、フレームメモリ３１４および３１５が動画表示性能向上部３００（または、動画表示性能向上部３００ｂ）と同一の電力供給ラインにより電力の供給を受ける場合を例に挙げているが、フレームメモリ３１４、３１５は、動画表示性能向上部３００（または、動画表示性能向上部３００ｂ）とは独立した電力供給ラインにより電力の供給を受けるようにしてもよい。また、フレームメモリ３１４および３１５のいずれかが動画表示性能向上部３００（または、動画表示性能向上部３００ｂ）と同一の電力供給ラインにより電力の供給を受け、いずれかが動画表示性能向上部３００（または、動画表示性能向上部３００ｂ）とは独立した電力供給ラインにより電力の供給を受けるようにしてもよい。
【０１６５】
また、フレームメモリ３１４および３１５が動画表示性能向上部３００（または、動画表示性能向上部３００ｂ）の内部に設けられている場合には、画像表示装置１００（または画像表示装置１００ｂ）の設計が容易になると共に、製造コストの低減を図ることもできる。一方で、フレームメモリ３１４および３１５が動画表示性能向上部３００（または、動画表示性能向上部３００ｂ）の外部に設けられている場合には、フレームメモリとして大容量のメモリを使用することができるため、スライドショー用のＪＰＥＧ画像（または復号済静止画像）を数多く保存しておくことが可能となる。
【０１６６】
ここで、動画表示性能向上部３００（３００ｂ）の内部とは、動画表示性能向上部として機能するＬＳＩ（集積回路）の内部を意味している。また、動画表示性能向上部３００（３００ｂ）の外部のメモリとは、動画表示性能向上部として機能するＬＳＩ（集積回路）の外部に備えられているＳＤＲＡＭなどのメモリを指している。
【０１６７】
なお、復号済静止画像を記録するフレームメモリの数は、２つに限定されるものではなく３つ以上であってもよいし、１枚の静止画像を表示させ続ける場合には、１つであってもよい。
【０１６８】
（プログラムおよび記録媒体）
最後に、画像表示装置１００（１００ｂ）に含まれている画像処理部２００（２００ｂ）、動画表示性能向上部３００（３００ｂ）および制御部４００は、ハードウェアロジックによって構成すればよい。または、次のように、ＣＰＵ（Central Processing Unit）を用いてソフトウェアによって実現してもよい。
【０１６９】
すなわち、画像処理部２００（２００ｂ）、動画表示性能向上部３００（３００ｂ）および制御部４００は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１７０】
そして、本発明の目的は、画像処理部２００（２００ｂ）、動画表示性能向上部３００（３００ｂ）および制御部４００のプログラムメモリに固定的に担持されている場合に限らず、上記プログラムのプログラムコード（実行形式プログラム、中間コードプログラム、または、ソースプログラム）を記録した記録媒体を画像表示装置１００（１００ｂ）に供給し、画像表示装置１００（１００ｂ）が上記記録媒体に記録されている上記プログラムコードを読み出して実行することによっても、達成可能である。
【０１７１】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１７２】
また、画像処理部２００（２００ｂ）、動画表示性能向上部３００（３００ｂ）および制御部４００（または画像表示装置１００（１００ｂ））を通信ネットワークと接続可能に構成しても、本発明の目的を達成できる。この場合、上記のプログラムコードを、通信ネットワークを介して画像処理部２００（２００ｂ）、動画表示性能向上部３００（３００ｂ）および制御部４００に供給する。この通信ネットワークは画像処理部２００（２００ｂ）、動画表示性能向上部３００（３００ｂ）および制御部４００にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１７３】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７５】
本発明に係る画像表示装置は、静止画像をスライドショー表示または一枚表示可能な機能を有するテレビジョン受像機として好適に用いることができる。
【図面の簡単な説明】
【０１７６】
【図１】実施形態１に係る画像表示装置の要部構成を示すブロック図である。
【図２】実施形態１に係る画像表示装置におけるＪＰＥＧ画像のスライドショー表示処理の動作を示すフローチャートである。
【図３】実施形態２に係る画像表示装置の要部構成を示すブロック図である。
【図４】実施形態２に係る画像表示装置におけるＪＰＥＧ画像のスライドショー表示処理の動作を示すフローチャートである。
【図５】従来の画像表示装置の要部構成を示すブロック図である。
【符号の説明】
【０１７７】
１００      画像表示装置
１００ｂ    画像表示装置
２００      画像処理部
２００ｂ    画像処理部
２１０      復号部
２１１      処理実行部
２１２      フレームメモリ
３００      動画表示性能向上部（表示用フレーム画像生成手段）
３００ｂ    動画表示性能向上部（表示用フレーム画像生成手段）
３１０      倍速処理部
３１１      ＱＳ処理部（応答性向上処理手段）
３１２      メモリ制御部
３１３      メモリ制御部
３１４      フレームメモリ
３１５      フレームメモリ
３２０      画像セレクタ部
３３０      復号部
４００      制御部
４１０      データ制御部
４１１      表示制御部
４５０      電力供給遮断部
４６０      操作入力部
４７０      静止画像データメモリ
４８０      画像表示部（表示部）
５００      画像表示装置
６００      画像処理部
７００      動画表示性能向上部
【図１】
2010134029.tif 000003
【図２】
2010134029.tif 000004
【図３】
2010134029.tif 000005
【図４】
2010134029.tif 000006
【図５】
2010134029.tif 000007